(57)【要約】【課題】  便器や便座に対しての設計、製造、さらにはメンテナンスの制約や負担が大きくなく、設置スペースについてもほとんど問題がなく、よい効率的に、便器内、ひいてはトイレ室内の臭いを消去することのできる消臭トイレ装置を提供する。【解決手段】  便器１と便蓋５を備えたトイレ装置において、便蓋５裏面の一部または全部に臭気を分解可能な触媒層６、もしくは光触媒層と照光装置が配設されているものとする。【選択図】図１
2007143784.tif 000002
【特許請求の範囲】
【請求項１】
便器と便蓋を備えたトイレ装置において、便蓋裏面の一部または全面には臭気を分解可能な触媒層が配設されていることを特徴とする消臭トイレ装置。
【請求項２】
請求項１記載の装置であって、触媒層は光触媒層であり、便蓋と便器内側とにより形成される閉空間を照らす照光装置が配設されていることを特徴とする消臭トイレ装置。
【請求項３】
請求項１または２記載の装置であって、閉じられた便蓋と便器内部との間の閉空間とトイレ空間の空気を循環する空気循環装置が備えられていることを特徴とする消臭トイレ装置。
【請求項４】
便蓋に空気循環装置としてのファンが配設されていることを特徴とする消臭トイレ装置。
【請求項５】
請求項４記載の装置であって、便蓋裏面は、空気を誘導する誘導形状を有していることを特徴とする消臭トイレ装置。
【発明の詳細な説明】
【技術分野】
【０００１】
本発明は消臭トイレ装置に関するものである。
【背景技術】
【０００２】
従来より、便器内やトイレ室内の臭いを消臭するための様々な対策が取られてきている。これまでの消臭のための手段としては、たとえば図５に示したように、便器１に、消臭器２１、排気ファン２２を内蔵した消臭装置２を別途に設けたトイレ装置や、図６に示したように、吸入口を設けた便座３の中空部内に消臭用の触媒装置３１と、便座本体に設けた排気ファン３２とによって便器内の消臭を行うようにしたトイレ装置（特許文献１）が知られている。
【０００３】
また、トイレ壁面等に換気扇を設けてトイレ空間の臭いを消去することも普通に行われている。
【０００４】
だが、上記図５のように別途に消臭装置２を設けたトイレ装置では、臭いの発生源である便器内部の消臭にはある程度の効果があるものの、別途に消臭装置２を設けることが必要であり、この設置のためのスペースも必要になる。しかも消臭器２１に用いる消臭材には寿命があるため定期交換が必要である。このような負担や制約は無視できない。また、図６のトイレ装置では、便座３内への触媒装置３１の配置という、構造上、そして作業上の負担は大きく、また、通常の触媒装置３１ではその寿命から交換も必要になる。
【０００５】
そして、上記いずれの場合も消臭材や触媒装置の設置量やその容積は極めて限定されているため、消臭効果においても制約があり、便器内だけでなく、トイレ空間内の臭いを効率的に消去するには十分ではなかった。
【０００６】
また、トイレ壁面等への換気扇の配置の場合には、トイレ室内の空気が入替わるのに時間がかかり、臭いの発生源である便器内を効率的消臭できないという問題がある。
【０００７】
一方、交換の必要な従来の消臭材や触媒装置に代えて、再生可能で半永久的な脱臭効果を期待して、光触媒を用いたトイレ装置も提案されている。具体的には、たとえば図７のように、便器１に別途にダクト４を設け、その内部に光触媒装置４１と紫外線の光源４２とを設置し、便器内等の吸気口４３より臭気を吸込んで分解し、ファン４４により換気するようにしたトイレ装置（特許文献２）や、便座本体内に光触媒と光源を配置して臭気を分解するようにしたトイレ装置（特許文献３−４）が提案されている。
【０００８】
しかし、光触媒を使用する点において工夫が見られるものの、これら提案のトイレ装置では、便器に別途に設けるダクト４や便器本体内への光触媒装置や光源の内蔵が必要であって、そのための設計、製造、さらにはメンテナンスの制約や負担は大きい。しかも内蔵できる光触媒もその量や容積において制約がある。このため、簡便な手段によって、便器内はもとよりトイレ空間内の臭いを効率的に消去するとの点において難点があった。
【特許文献１】特開２００１−４０７３３号公報
【特許文献２】特開平１０−１２７７４１号公報
【特許文献３】特開平４−２７２３３７号公報
【特許文献４】実開平５−４７０７３号公報
【発明の開示】
【発明が解決しようとする課題】
【０００９】
本発明は、上記のとおりの背景から、従来の問題点を解消し、便器や便座に対しての設計、製造、さらにはメンテナンス上の制約や負担が大きくなく、設置スペースについてもほとんど問題がなく、より効率的に、便器内、ひいてはトイレ室内の臭いを消去することのできる新しい消臭トイレ装置を提供することを課題としている。
【課題を解決するための手段】
【００１０】
本発明の消臭トイレ装置は、上記の課題を解決するものとして以下のことを特徴としている。
【００１１】
第１：便器と便蓋を備えたトイレ装置において、便蓋裏面の一部または全面には臭気を分解可能な触媒層が配設されている。
【００１２】
第２：上記トイレ装置において、触媒層は光触媒層であり、便蓋と便器内側とにより形成される閉空間を照らす照光装置が配設されている。
【００１３】
第３：上記いずれかの装置であって、閉じられた便蓋と便器内部との間の閉空間とトイレ空間の空気を循環する空気循環装置が備えられている。
【００１４】
第４：便蓋に空気循環装置としてのファンが配設されている。
【００１５】
第５：便蓋裏面は、空気を誘導する誘導形状を有している。
【発明の効果】
【００１６】
上記のとおりの第１の発明の消臭トイレ装置によれば、便蓋裏面に対して臭気分解性の触媒層を任意の面積で、あるいは広範囲に配設することができ、使用後に便蓋を閉じれば、トイレ空間内への臭気の拡散を抑えた状態で、便器内の臭気と触媒層との接触により臭気を効果的に分解されることが可能になる。そして、触媒層の配設は便蓋裏面へのコーティングによって容易に行われ、万一損傷が生じた場合にもコーティング補修は容易である。従って、従来に比べて便器、便座に対しての設計、製造、さらにはメンテナンス上の制約や負担は大きくなく、触媒層の配設にともなうスペースの問題もなく、触媒層の配設という簡便な手段によって、より効率的な便器内の消臭が可能になる。このことは、トイレ壁面に設けた換気扇等によるトイレ空間内の消臭も負担を小さなものとし、効率的に可能とする。
【００１７】
光触媒層と照光装置とを設ける上記第２の発明によれば、上記の効果に加えて、再生可能で、半永久的にその活性が持続する高活性な光触媒によってさらに効率的な臭気の分解による消臭が可能となる。大幅な消臭効率の向上と触媒の寿命延長が可能となる。
【００１８】
便蓋と便器内部との閉空間とトイレ空間との空気の循環を可能にする空気循環装置を設ける上記第３の発明によれば、上記のとおりの優れた効果に加えて、たとえば便器内部の消臭が終了した後にはトイレ空間内の臭いを循環により集めてこれを効率的に分解消臭することが可能になる。さらに、この空気循環装置としてのファンを便蓋に設ける第４の発明では、便蓋裏面の触媒層との接触が効率化されてトイレ空間内の消臭が促進されることになる。
【００１９】
以上のような臭気分解による消臭効果は、上記第５の発明によれば、臭気が誘導され、効果的に臭気が集められて分解されることでさらに顕著なものとなる。
【発明を実施するための最良の形態】
【００２０】
本発明は上記のとおりの特徴をもつものであるが、以下にその実施の形態について説明する。
【００２１】
図１は、上記第１の本発明の実施形態の一つを例示した概要斜視図である。この例の消臭トイレ装置は、便器１、便座３と便蓋５とを備えており、便蓋５の裏面（便器内側）には触媒層６がコーティングされている。便器１内に用が足されたあと便蓋５を閉じると、便器１内の臭気が便蓋５の裏面の触媒層６で吸着、分解される。触媒層６の塗布は便蓋５の裏面全体が対象となることから、その全面もしくはほぼ全面に広くコーティングして臭気との接触促進することができ、あるいはまた、便蓋５と便器１内部との間の閉空間の空気の流れ等を制御し、これに対応して適切な便蓋５の裏面の部位に選択的に触媒層６を塗布することもできる。
【００２２】
触媒層６には、各種の触媒を用いてよく、たとえば、マンガン系の酸化触媒を用い、ウレタン系樹脂に混合して便蓋裏面に塗布することができる。もちろん、触媒層はこれに限らず、酸化チタンなどの無機系触媒でも、フタロシアニンなどの有機系触媒でもよい。同様に樹脂も、便蓋に塗装できれば、その種類は限定されるものではない。また、消臭の効率化を図るため、触媒層の中に活性炭などの吸着材を併用してもよい。このような吸着材による即効性が期待でき、かつ臭気が吸着されても、触媒層で分解されるため、吸着材の寿命も長く維持できる。
【００２３】
図２は、第２の発明の実施形態を例示した概要斜視図である。この例においては、便蓋５の裏面（便器内側）に光触媒層７がコーティングされ、照光装置８が設置されている。便器１内に用が足されたあと便蓋５を閉じると、照光装置８が発光し、便蓋５と便器１の内側１０とにより形成される閉空間が照らされ、便器１内の臭気が便蓋５裏面の光触媒層７で吸着、分解される。
【００２４】
この場合の光触媒層も各種の光触媒をもって構成されてよく、たとえば、一般的な市販のルチル型やアナターゼ型の光触媒を使用し、樹脂にはアクリルシリコン系を使用して塗布することで形成することができる。もちろん光触媒はこれに限らず、窒素ドープ型や、白金錯体担持などの可視光応答型の光触媒でもよい。また樹脂は無機系のシリコンでもよい。照光装置８は紫外線ランプ、ＬＥＤ照明、蛍光灯など各種であってよい。
【００２５】
ただ、紫外線ランプ使用時にトイレ装置を構成している樹脂部材の劣化が懸念される場合には、便蓋５裏面のほぼ全面とともに、便座６など紫外線のあたる部材にも、光触媒層７を塗布することが望ましく考慮される。また、上記の例示では照光装置８は便座５裏面に設けたが、便座５裏面を照らすことができる位置であれば、照光装置８を配設する便器内部の位置に制限はない。
【００２６】
たとえば、照光装置を便座３の下端部等に配置して便器１内のボウル面で反射させて光触媒層を配設している便座５の裏面を照らすようにしてもよい。照光装置は目視されないような配置することも可能となる。
【００２７】
照光装置は、光触媒層を照らして光触媒による臭気の分解作用を活性化することを目的としていることから、その配置については使用する照光装置の種類による光照射の指向性や光照射のエネルギー強度等を考慮して決めることができる。また、このことと関連して光触媒層の平面配置やその層厚み、塗布のための組成、塗布方法を適宜に選択することができる。
【００２８】
図３は、空気循環装置としてのファン９を設けた実施の形態について例示している。この例の消臭トイレ装置では、便蓋５の裏面（便器内側）に光触媒層７がコーティングされ、照光装置８が設けられているとともに、便蓋５には、便器１内部とトイレ空間とを空気流が貫通するファン９が設置されている。便器１内に用が足されたあと便蓋５を閉じると、照光装置８が発光し、便器１内の臭気が便蓋５裏面の光触媒層７で吸着、分解され、便器１内の臭気が効率的に除去される。そして、さらに便器１内の消臭が完了した後には、ファン９が運転されることで、トイレ空間のにおいを便蓋５裏面に集めることができ、トイレ空間のにおいを効率よく除去することができる。なおファン９の設置は、便蓋５内部であれば、外観上すっきりし、デザイン面で有利であるが、便蓋５表面や便座３側面など、便器内部とトイレ空間を空気流が貫通することができれば、設置位置は適宜であってよい。そして便蓋５の裏面に、空気の流れがファン９に向かって誘導されるように、全体として凹んだような形状にすることや、図３に例示した溝１１を設けたりすることも有効である。
【００２９】
便蓋５の裏面は、通常は凹みのない形状であるが、図４の例では、空気の誘導のために、意識的に凹みを持たせており、臭いを便蓋５裏面のファン９の方向に集めやすくしている。また、便蓋５裏面に空気を誘引する溝や突起等の誘導形状を設けることで、便蓋裏面のファン９の方向に臭いを集めやすくすることができる。このような誘導形状によって、便蓋裏面に空気の流れを作り、トイレ空間内の臭いも便蓋５の裏面のファン９方向に集めて分解を促すことも可能となる。
【図面の簡単な説明】
【００３０】
【図１】触媒層を便蓋裏面に設けた場合の実施形態を例示した概要斜視図である。
【図２】便蓋裏面に光触媒層と照光装置を配設した場合の実施形態を例示した概要斜視図である。
【図３】さらに便蓋にファンを設けた実施形態を例示した概要斜視図である。
【図４】便蓋裏面を凹ませた場合の実施形態を例示した概要断面図である。
【図５】消臭装置を別途取付けた従来例を示した概要斜視図である。
【図６】便座中空部に触媒を設けた従来例を示した概要平面図である。
【図７】便器に別途取付けたダクト内に光触媒と光源とを設けた従来例を示した概要断面図である。
【符号の説明】
【００３１】
１  便器
２  消臭装置
２１  消臭器
２２  排気ファン
３  便座
３１  触媒装置
３２  排気ファン
４  ダクト
４１  光触媒装置
４２  光源
４３  吸気口
４４  ファン
５  便蓋
６  触媒層
７  光触媒層
８  照光装置
９  ファン
１０  便器内側
１１  溝
【図１】
2007143784.tif 000003
【図２】
2007143784.tif 000004
【図３】
2007143784.tif 000005
【図４】
2007143784.tif 000006
【図５】
2007143784.tif 000007
【図６】
2007143784.tif 000008
【図７】
2007143784.tif 000009